(57)【要約】【課題】  紙チューブのチューブ巾が変更になった場合でも、送りロールの巾位置の調整が不要であり、紙チューブの品質に影響を与えることのないウェブの切り離し装置を提供すること。【解決手段】  切り離しロール１８の上部ロール１９及び下部ロール２０が、それぞれ均一径の単一のロールからなる。供給ステーション２の搬送部材が、ウェブの上側と下側にそれぞれ配置された上部コンベアベルト３及び下部コンベアベルト４である。上部コンベアベルト３の複数のアイドラロール１３，１４と下部コンベアベルト４の複数のアイドラロール１５，１６，１７とがウェブの送り方向でずらして配置されている。【選択図】          図１
2006000942.tif 000002
【特許請求の範囲】
【請求項１】
連続的に送られる横方向の切り離し孔線が設けられた材料のウェブを区分に切り離す装置であって、回転する搬送部材を備えた上下に対をなす供給ステーションと、上部ロールが下部ロールに対して接近離間自在の切り離しロールとを備え、前記切り離しロールが前記ウェブの送り速度よりも速い周速度で回転されるウェブの切り離し装置において、
前記切り離しロールの前記上部ロール及び前記下部ロールが、それぞれ均一径の単一のロールからなり、前記供給ステーションの搬送部材が、前記ウェブの上側と下側にそれぞれ配置された上部コンベアベルト及び下部コンベアベルトであり、前記上部コンベアベルト及び下部コンベアベルトは、それぞれ駆動ロールと、変向ロールと、前記駆動ロールと前記変向ロールとの間に設けられた複数のアイドラロールとを備え、前記上部コンベアベルトの複数のアイドラロールと前記下部コンベアベルトの複数のアイドラロールとが前記ウェブの送り方向でずらして配置されていることを特徴とするウェブの切り離し装置。
【発明の詳細な説明】
【技術分野】
【０００１】
本発明は、横方向のミシン孔線が設けられた材料のウェブからセクションを切り離すウェブの切り離し装置に関する。
【背景技術】
【０００２】
横方向のミシン孔線が設けられた材料のウェブからセクションを切り離すウェブの切り離し装置が知られている。図２は、従来のウェブの切り離し装置の概略の平面図であり、図３は従来のウェブの切り離し装置の概略の側面図である。符号３５は、長さに沿って所定間隔で横方向に切り離し線（図２においては鎖線で示されている）、例えば、ミシン目を有する紙チューブ状ウェブである。ウェブ３５は、上ロール及び下ロールよりなる送りロール３０及び送りロール３１により、切り離しロール４０へ送り込まれる。切り離しロール４０は、上部ロール４１と下部ロール４２とからなり、上部ロール４１を下部ロール４２に対して近づけたり遠ざけたりするための構成を有している。また、切り離しロール４０は、ウェブ１の送り速度よりも速い周速度で回転される。ウェブ３５が切り離しロール４０に送り込まれる間、切り離しロール４０の上部ロール４１は持ち上げられており、ウェブ３５の切り離し線は、送りロール３１と切り離しロール４０との間に達する。切り離しロール４０の上部ロール４１を瞬間的に下部ロール４２に対して下げることにより、ウェブ３５は切り離し線で切れるような高い張力を受け、紙チューブ区分として切り離され、下流に給送される。
【０００３】
ところが、従来のウェブの切り離し装置では、紙チューブのチューブ巾が変更になった場合、送りロールのロール巾位置を調整する必要があった。また、送りロールで紙チューブを押し付けるために、弾性的な紙を加工する際に紙チューブの品質に影響を与えてしまうという問題点があった。
【発明の開示】
【発明が解決しようとする課題】
【０００４】
本発明の目的は、紙チューブのチューブ巾が変更になった場合でも、送りロールの巾位置の調整が不要であり、紙チューブの品質に影響を与えることのないウェブの切り離し装置を提供することにある。
【課題を解決するための手段】
【０００５】
請求項１に係るウェブの切り離し装置は、連続的に送られる横方向の切り離し孔線が設けられた材料のウェブを区分に切り離す装置であって、回転する搬送部材を備えた上下に対をなす供給ステーションと、上部ロールが下部ロールに対して接近離間自在の切り離しロールとを備え、前記切り離しロールが前記ウェブの送り速度よりも速い周速度で回転されるものであって、上記課題を解決するために、前記切り離しロールの前記上部ロール及び前記下部ロールが、それぞれ均一径の単一のロールからなり、前記供給ステーションの搬送部材が、前記ウェブの上側と下側にそれぞれ配置された上部コンベアベルト及び下部コンベアベルトであり、前記上部コンベアベルト及び下部コンベアベルトは、それぞれ駆動ロールと、変向ロールと、前記駆動ロールと前記変向ロールとの間に設けられた複数のアイドラロールとを備え、前記上部コンベアベルトの複数のアイドラロールと前記下部コンベアベルトの複数のアイドラロールとが前記ウェブの送り方向でずらして配置されていることを特徴とする。
【発明の効果】
【０００６】
請求項１に係るウェブの切り離し装置によれば、供給ステーションは、紙チューブの上側に配置された上部コンベアベルトと紙チューブの下側に配置された下部コンベアベルトとを有しているので、紙チューブのチューブ巾が変更になった場合でも紙チューブを送ることができるから、送りロールの巾位置の調整が不要であり、弾性的な紙を加工する際でも、紙チューブの品質に影響を与えることがない。また、切り離しロールの上部ロール及び下部ロールは、それぞれ均一径の単一のロールであるので、紙チューブに対する接触面積を多くとれ、紙チューブに確実に張力を与えることができ、単純な構造で構成できるから、ウェブの切り離し装置をコンパクトなものとすることができる。
【発明を実施するための最良の形態】
【０００７】
以下、本発明の実施の形態を図面を参照して説明する。図１は、本発明の実施形態に係るウェブの切り離し装置の側面図である。図１において、符号１は、送り方向に連続的に送られるウェブとしての紙チューブである。紙チューブ１には、長手方向所定間隔で横方向の切り離し孔線（例えば、ミシン目２１）が設けられている。紙チューブ１は供給ステーション２に達している。
【０００８】
供給ステーション２は紙チューブ１の上側に配置された（単数又は複数の）上部コンベアベルト３と、紙チューブ１の下側に配置された（単数又は複数の）下部コンベアベルト４とを有している。上部コンベアベルト３は駆動ロール５によって駆動され、変向ロール６によって変向される。下部コンベアベルト４は、駆動ロール７によって駆動され、変向ロール８によって変向される。これらのコンベアベルト３，４は緊張ロール９，１０を介して緊張される。なお、下部コンベアベルト４の駆動ロール７は、駆動装置２５及びベルト２６により慣用的方法で駆動される。
【０００９】
上部コンベアベルト３は、ピストン／シリンダユニット１１により駆動ロール５の軸線回りで枢動されるフレーム１２を備えている。変向ロール６は、フレーム１２の先端部に支持されている。上側のコンベアベルト３の駆動ロール５と変向ロール６との間には、アイドラロール１３，１４が設けられ、アイドラロール１３，１４はフレーム１２に支持されている。下部コンベアベルト４の駆動ロール７と変向ロール８との間には、アイドラロール１５，１６，１７が支持されている。アイドラロール１５，１６，１７は、下部コンベアベルト４を下側から紙チューブ１に対して押しつけている。フレーム１２は、ピストン／シリンダユニット１１により高さ調整される。フレーム１２に支持されたアイドラロール１３，１４は上部コンベアベルト３を上方から紙チューブ１に対して押しつけている。また、上部コンベアベルト３のアイドラロール１３，１４は下部コンベアベルト４のアイドラロール１５，１６，１７に対して長手方向で互いにずらされている。つまり互いに向かい合って配置されてはいない。上側のアイドラロール１３，１４と下側のアイドラロール１５，１６，１７とを互いにずらして配置したことによって、紙チューブ１は上下のローラ間をＳ状にうねって進むようになっている。
【００１０】
供給ステーション２は、紙チューブ１の上側に配置された上部コンベアベルト３と、紙チューブ１の下側に配置された下部コンベアベルト４とで構成されているので、紙チューブのチューブ巾が変更になった場合でも紙チューブを送ることができ、従来のような送りロールの巾位置の調整作業は不要である。また、弾性的な紙を加工する際でも、紙チューブの品質に影響を与えることがない。上側のアイドラロール１３，１４と下側のアイドラロール１５，１６，１７とを互いにずらして配置したことによって、上側の搬送部材と下側の搬送部材との間の間隔を変える必要なしに、巾にわたって厚さの異なる紙チユーブを搬送させることができる。
【００１１】
紙チューブ１の送り方向において、供給ステーション２の下流には、上部ロール１９が下部ロール２０に対して、例えば、ピストン／シリンダユニット１１と同等の駆動装置により接近離間自在の切り離しロール１８が設けられている。切り離しロール１８の上部ロール１９及び下部ロール２０は、それぞれ均一径の単一のロールからなる。なお、切り離しロール１８は紙チューブ１の送り速度よりも速い周速度で回転される。
【００１２】
供給ステーション２は紙チューブ１を切り離しロール１８に送り込む。その間、切り離しロール１８の上部ロール１９が下部ロール２０に対して持ち上げられている。紙チューブ１のミシン目２１が、供給ステーション２と切り離しロール１８との間に到達すると、切り離しロール１８の上部ロール１９を瞬間的に下げる。すると、上部ロール１９が下部ロール２０上の紙チューブ１に接し、紙チューブ１がミシン目２１で切れるような高い張力を受け、紙チューブ区分が切り離される。なお、紙チューブ区分は下流に給送される。切り離しロール１８の上部ロール１９及び下部ロール２０は、それぞれ均一径の単一のロールであるので、紙チューブ１に対する接触面積を多くとれ、紙チューブ１に確実に張力を与えることができ、単純な構造で構成できるから、ウェブの切り離し装置をコンパクトなものとすることができる。
【図面の簡単な説明】
【００１３】
【図１】本発明の実施形態に係るウェブの切り離し装置の側面図である。
【図２】従来のウェブの切り離し装置の概略の平面図である。
【図３】従来のウェブの切り離し装置の概略の側面図である。
【符号の説明】
【００１４】
１  紙チューブ
２  供給ステーション
３  上部コンベアベルト
４  下部コンベアベルト
５  駆動ロール
６  変向ロール
７  駆動ロール
８  変向ロール
９  緊張ロール
１０  緊張ロール
１１  ピストン／シリンダユニット
１２  フレーム
１３  アイドラロール
１４  アイドラロール
１５  アイドラロール
１６  アイドラロール
１７  アイドラロール
１８  切り離しロール
１９  上部ロール
２０  下部ロール
２１  ミシン目
２５  駆動装置
２６  ベルト
３０  送りロール
３１  送りロール
３５  ウェブ
４０  切り離しロール
４１  上部ロール
４２  下部ロール
【図１】
2006000942.tif 000003
【図２】
2006000942.tif 000004
【図３】
2006000942.tif 000005